【事件の表示】
　特願２０００−１８７６８８「ダンスゲーム装置」拒絶査定不服審判事件〔平成１２年１１月２８日出願公開、特開２０００−３２５６６６〕について、次のとおり審決する。
【結　論】
　本件審判の請求は、成り立たない。
【理　由】
第１．手続きの経緯・本願発明　
　本願は、平成１０年７月２４日に出願した特願平１０−２０９８７９号を、平成１１年５月６日にその一部を分割して新たな特許出願とした特願平１１−１２６２４８号を、平成１２年６月２２日にその一部を分割して新たな特許出願とした特願２０００−１８７６８８号の特許出願であって、平成１３年４月１２日付けで拒絶査定がなされ、これに対し、同年５月１７日に拒絶査定に対する審判請求がなされるとともに、同年５月２２日付けで手続補正がなされ、その後、当審において、平成１７年９月１日付けで拒絶理由が通知され、これに対し、同年１１月７日付けで手続補正がなされたものであり、その請求項１乃至７に係る発明は、平成１７年１１月７日付手続補正により補正された特許請求の範囲の請求項１乃至７に記載されたとおりのものと認められるところ、その請求項１に記載された発明は次のとおりのものである。　
　【請求項１】記憶された少なくとも１曲以上の音楽から１曲の音楽を出力する音楽出力手段と、複数配列された踏み台部を有する床盤面体と、前記床盤面体の前方に配置され、前記音楽に合わせて前記踏み台部に対する踏み動作指示を行う案内手段とを有するダンスゲーム装置であって、前記踏み台部は前記床盤面体内の前方および後方に設けられ、前記床盤面体は所定の高さを有しており、かつ、前記床盤面体は後方に手摺りを備えることを特徴とするダンスゲーム装置。（以下、「本願発明」という）　
　　　
第２．刊行物に記載された発明　
　刊行物１：特開昭６１−２０５７６号公報
　刊行物２：実願昭６２−１６３７４７号（実開平１−６８０７４号）の
　　　　　　マイクロフィルム　
　刊行物３：実願昭６１−１６７２３５号（実開昭６３−７１０８７号）
　　　　　　のマイクロフィルム
　
　当審の拒絶の理由に引用され、本願出願前に頒布された、特開昭６１−２０５７６号公報（以下、「刊行物１」という）の、　
　第２頁左下欄第２行乃至第１６行には、
「この出願の発明は、一定のソフトウエア、例えばゲーム、ダンス、競技、体操、エアロビクス等のプログラムを組み込んだコンピユーターシステムにおいて、入力用マツトの内部が多数に区分されていて、各区分に内蔵されているタツチセンサーの１又は２以上の組合せのタツチによつて、組み込まれているプログラムを作動させるコンピユーター入力用マツト及び共同又は対抗して競技、体操、ダンス、スポーツ等の動作を、コンピユーターの指示によつて、該マツトに内蔵されているタツチセンサーを、コンピユーターの指示の通り、正しく且つ迅速にタツチすることによりプレイ又は競技もしくは体操をすることを目的としたコンピユーター入力用マツトに係るものである。」と、　
　第２頁右下欄第１７行乃至第３頁左上欄第１９行には、
「即ち、該プログラムに従い、一定の指示がデイスプレーに表示されるので、その指示に従いプレーヤーは、センサーのタツチをマツト上で継続するのである。
　マツトの表面が各区分毎に線が施され、例えば、縦方向の区分線１〜７を、横方向の区分線Ａ〜Ｇ等に上下左右に桝目、或は、菱形網目、波形桝目、左右上下方向の連続円形模様、三角形連続模様等の区分線を施し、その区分毎にタツチセンサーを内蔵する。各区分は、各々の区分表示又はその組合せでマツト上の位置が座標として決まる。予め一定のプログラムが組み込まれているので、デイスプレーに指示が表示され、プレーヤーは、その指示に従い、マツト上の各々の組合せ区分をタツチする。該タツチが入力となり、デイスプレーに表示され、該タツチが指示通りの適正なタツチであれば加点され逆に不適なタツチであれば減点される。
　プレイヤーがコンピユーターにスイツチを入れると、プログラムに従い、デイスプレー上にタツチすべき指示の表示がなされる。プレイヤーは、マツト上でその指示通りタツチ動作を順次継続する。」と、　
　第３頁右下欄第７行乃至第４頁左上欄第９行には、
「第３の発明は、第４項記載に記載した通り、「予め一定のソフトウエア、例えばゲーム、体操、ダンス、スポーツ等で複数人が共同又は対抗して動くようなプログラムが組み込まれているコンピユーターシステムの入力用マツトにおいて、該マツトの内部が多数に区分されており該ゲームに参加する人数分の枚数のマツトを該コンピユーターシステムの入力用マツトとして接続し、該競技、又はゲームでの共同又は対抗の動作が、各マツトに内蔵されているタツチセンサーの１又は２以上の一定の組合せのタツチ又はタツチの持続時間の長短によつて、デイスプレーに競技、ゲーム、ダンス等の競技状況、状態、勝敗が表示されることを特徴とした複数枚の組合せに係るコンピユーター入力用マツト」の発明である。即ち第１の発明に係るマツトの多数の同時使用を目的としている。この場合、予め組込まれているプログラムはプレイヤーが複数を前提としている。複数人のプレイヤーがデイスプレーの前で、共同又は対抗してプレイをするプログラムであつて、共同又は対抗のプレイの状況、勝敗の結果などが、マツト上の動作に従つて表示されるものである。」と、　
　第４頁左下欄第８行乃至第５頁左上欄第４行には、
「以上各発明の実施について述べたが、更に種々の使用例を記載する。
　１対１の競技者で競う場合、例えばボクシングのフツトワークの競技を向い合つて対応するステツプで内蔵センサーをタツチするプログラムでは、指示通りのステツプがタツチできない場合は、その都度減点となり、又は相手方が得点となり、各ラウンドの集計がデイスプレイに表示され、試合の終了後に試合の結果が勝敗となつて表示される。
　この場合にも相手が不在の場合は、プログラムにその役を受持たせ、単独の人でもデスプレイの表示を見ながらステツプワークによる試合が可能である。・・・
　尚、この出願に係るマツトは必ずしも方形、の区分のみとは限らず、・・・１枚のマツトをコンピユーターに接続する場合、或は複数枚を接続する場合など、プレイヤーの人数に応じた枚数を接続し、これに即応したコンピユーターを選択自在としていれば、利用範囲は極めて広い。」と、それぞれ記載されている。　
　
　そして、ＦＩＧ１には「マツトの表示部の一例」が示されているから、これらの記載を併せると、
　刊行物１には、　
「マツトの表面に縦横方向に桝目模様等の多数の区分線を施し、その区分毎にタツチセンサーを内蔵するコンピユーター入力用マツトと、プレーヤーの前に配置され、タツチすべき指示が表示されるデイスプレーとを有し、プレーヤーは、その指示に従い、マツト上の各々の区分をステップでタツチする、ゲーム、ダンス、競技等のプログラムを組み込んだコンピユーターシステムであって、
　前記区分はマツトの縦横方向に設けられたコンピユーターシステム。」の発明（以下、「刊行物１に記載された発明」という）が記載されていると認められる。
　
　また、当審の拒絶の理由に引用され、本願出願前に頒布された、実願昭６２−１６３７４７号（実開平１−６８０７４号）のマイクロフィルム（以下、「刊行物２」という）の、
　（２−ア）明細書第１頁第５行乃至第２頁第９行には、
　「インストラクタの音声信号と、この音声信号に合わせて訓練者が閉回路すべきマット・スイッチの位置信号および訓練中の手先位置の信号とからなるデータ信号とが録音されたカセットテープのプレーヤと、このプレーヤの出力信号波からデータ信号を取り出す波形整形回路と、この波形整形回路の出力パルス列信号を２進化符号の数字に変換するデコーダと、前記インストラクタの音声に合わせて訓練者が閉回路する複数のマットスイッチが装着される外に前記プレーヤ，下記発光ダイオードおよび下記得点表示器が取付けられた訓練用マットと、前記デコーダの出力２進化符号の数字をこの２進化符号の数字と対応した訓練者の手先位置または訓練者の押圧すべきマットスイッチの位置を指示する発光ダイオードを選択して点灯させると共に、前記デコーダ出力のマットスイッチの位置指示用２進化符号の数字に対して、訓練者のマットスイッチ押圧による閉回路信号に基づいて求めたマットスイッチの位置を示す２進化符号の数字を対比判断して、一致している場合には加算信号を、不一致の場合は減算信号を出力するコントロール回路と、このコントロール回路からの加算信号と減算信号とが加えられる得点表示器とから構成することを特徴とする健康トレーニングマット。」と、
　（２−イ）明細書第２頁第１１行乃至第１７行には、
　「〔産業上の利用分野〕
  この考案は健康トレーニングマットに係り、特に訓練時に、インストラクテングテープをかけ、指定されたマットのマットスイッチに手又は脚をのせて指示通りの運動をし、運動の１サイクルが終った時点でミスタッチの数がカウント表示される装置に関する。」と、　
　（２−ウ）明細書第６頁第３行乃至第７頁第２行には、
　「〔作用〕
  この考案は上記の構成によって、カセット・テープ・プレーヤ１の拡声器１ｄを介してインストラクタの号令が聞こえ、この号令に合わせて訓練者が脚などで押圧すべきマットスイッチ２１Ａ〜２１Ｌの位置がマット２０と一体の取付板２５に設けた発光ダイオード２２Ａ〜２２Ｌで表示されると共に、訓練者が動かすべき手先の位置が同様にマット２０と一体の取付板２６に設けた発光ダイオード２３ａ〜２３ｈに表示される。従って、訓練者は上記号令を聞き発光ダイオード２２Ａ〜２２Ｌおよび２３ａ〜２３ｈの表示を目視しながら容易にトレーニングすることができる。他方、訓練者がインストラクタの号令に合わせて間違いなくマットスイッチ２１Ａ〜２１Ｌを押圧してトレーニングすると、マット２０と一体の液晶表示器の表示部７ｂに最高の得点が表示され、若しも間違ったマットスイッチ２１Ａ〜２１Ｌを押圧すると、その都度上記表示部７ｂの得点が減点される。」と、
　（２−エ）明細書第７頁第７行乃至第１０行には、
　「第２図において、２０は訓練者がその表面上でトレーニングを行うマットである。このマット２０には、マットスイッチ２１Ａ〜２１Ｌが装着されている。」と、　
　（２−オ）明細書第８頁第４行乃至第２０行には、
　「矩形状マット２０の前方端には、傾斜盤状に形成されカセットテープが着脱自在に装填されたプレーヤ１，このプレーヤの操作ボタン１ｅ，液晶表示器の表示部７ｂ，拡声器１ｂが取付けられている外に、訓練者が押圧すべきスイッチ位置を表示する発光ダイオード２２Ａ〜２２Ｌの取付板２５，訓練者が動かす手先の位置を表示する発光ダイオード２３ａ〜２３ｈの取付板２６，訓練体操のポーズ表示板２４が設けられている。
  第３図においては、カセットテープのプレーヤ１はカセットテープ１ａと増幅器１ｂ，１ｃと拡声器１ｄからなり、拡声器１ｄはカセットテープ１ａに録音されたインストラクタの音声を含むバックミュージックを出力し、増幅器１ｂは前記号令に合わせて閉回路すべき訓練用マット２０内のスイッチ２１Ａ〜２１Ｌ（第２図）の位置指令信号と訓練者の手先位置の指示信号とを送出する。」と、
　（２−カ）明細書第１１頁第１０行乃至第１６行には、
　「まず、本実施例装置を用いてのトレーニングの順序を説明すると、カセットテープのプレーヤ１の作動の開始に伴って、拡声器１ｄからバックミュージックとともにインストラクタの号令が聞こえる。この号令に合わせて訓練者は、指定されたマット２０上のマットスイッチ２１Ａ〜２１Ｌに脚又は手をのせて指示通りの運動をする。」と、　
　（２−キ）明細書第１５頁第５行乃至第８行には、
　「このため、肥満型の解消の外に、各種のストレッチング，エアロビクス体操，スポーツ準備体操，体力テスト等も実施できる等の効果を奏する。」と、　
それぞれ記載されている。
　
　そして、上記（２−オ）の「矩形状マット２０の前方端には、プレーヤ１，操作ボタン１ｅ，液晶表示器の表示部７ｂ，拡声器１ｂが取付けられている」旨の記載に基づき、矩形状マット２０の前後方向に着目して、第２図に示された「符号Ａ乃至Ｌ」を見ると、第２図には、「符号Ａ乃至Ｌはマット２０の前方および後方に設け」たことが示されているから、これらの記載を併せると、
　刊行物２には、　
「カセットテープ１ａに録音されたインストラクタの号令を含むバックミュージックを出力する拡声器１ｄと、複数配列されたマットスイッチ２１Ａ〜２１Ｌを装着する訓練用マット２０と、訓練用マット２０の前方端に設けられ、前記号令に合わせて訓練者が脚などで押圧すべきマットスイッチ２１Ａ〜２１Ｌの位置を表示する発光ダイオード２２Ａ〜２２Ｌとを有する各種のストレッチング、エアロビクス体操、スポーツ準備体操、体力テスト等も実施できる健康トレーニングマットであって、
前記マットスイッチ２１Ａ〜２１Ｌは訓練用マット２０の前方および後方に設けられ、表示部７ｂに得点が表示される健康トレーニングマット。」の発明が記載されていると認められる。　
　
　当審の拒絶の理由に引用され、本願出願前に頒布された、実願昭６１−１６７２３５号（実開昭６３−７１０８７号）のマイクロフィルム（以下、「刊行物３」という）の、　
　第１頁第１９行乃至第２頁第８行には、
「本考案は、・・・体を動かしながらテレビゲームを楽しむことができるように健康器にテレビゲーム用フアミリーコンピユータをセツトしたもので、フアミリーコンピユータのコントローラスイツチとは別に足踏みスイツチ、手押しスイツチ、ジャンプして作動させるスイツチ等フアミリーコンピユータのコントロール用のスイツチを健康器に設けたフアミリーコンピユータ用健康器に関する。」と、　
　第５頁第３行乃至第４行には、
「図において、角板状の台1には、矩形状の手摺２が左右一対設けられている。」と、　
　第６頁第７行乃至第１２行には、
「また、台１には、足踏み式２点スイツチ９が設けられている。この足踏み式２点スイツチ９の９Ａは、左移動用スイツチで、第２図図示十字型スイツチ８１のａと同じである。また、足踏み式２点スイツチ９の９Ｂは右移動用スイッチで第２図図示十字型スイツチ８１のｂと同じである。」と、それぞれ記載されている。　
　そして、斜視図である第１図及び第４図には「手摺２は逆Ｕ字状の部材である」ことが記載されていると認められる。
　
　したがって、上記の記載を併せると、
　刊行物３には、　
「左移動用足踏み式スイツチ９Ａと右移動用足踏み式スイッチ９Ｂとを有する角板状の台1には、逆Ｕ字状の手摺２が左右一対設けられたテレビゲーム用健康器。」の発明が記載されていると認められる。
　　　
第３．対比・検討　
　本願発明と刊行物１に記載された発明とを対比すると、刊行物１に記載された発明の「区分」が本願発明の「踏み台部」に相当し、以下同様に「コンピユーター入力用マツト」が「床盤面体」に、「タツチすべき指示が表示されるデイスプレー」が「踏み台部に対する踏み動作指示を行う案内手段」に、「ゲーム、ダンス、競技等のプログラムを組み込んだコンピユーターシステム」が「ダンスゲーム装置」に、それぞれ相当する。そして、刊行物１に記載された発明の「プレーヤーの前に配置され」という事項は、「プレイヤーは、マツト上でタツチ動作を順次継続する」ことからみて「マツトの前に配置され」という事項に等しいから、そうすると「プレーヤーの前に配置され」という事項は、本願発明の「床盤面体の前方に配置され」という事項に相当するから、
　両者は、
　「複数配列された踏み台部を有する床盤面体と、前記床盤面体の前方に配置され、前記踏み台部に対する踏み動作指示を行う案内手段とを有するダンスゲーム装置であって、前記踏み台部は前記床盤面体に設けられるダンスゲーム装置」である点で一致し、次の点で相違する。
　
　（相違点１）　
　本願発明が「記憶された少なくとも１曲以上の音楽から１曲の音楽を出力する音楽出力手段」を有するのに対し、刊行物１に記載された発明では、そのような構成を有するかどうか不明である点。　
　（相違点２）　
　踏み台部に対する踏み動作指示が、本願発明では「音楽出力手段が出力する音楽に合わせて」行われるのに対し、刊行物１に記載された発明では、そのような構成を有するかどうか不明である点。　
　（相違点３）　
　踏み台部が、本願発明では「床盤面体内の前方および後方に設け」られるのに対し、刊行物１に記載された発明では、そのような構成を有するかどうか不明である点。
　（相違点４）　
　床盤面体が、本願発明では「所定の高さを有しており、かつ、後方に手摺りを備える」のに対し、刊行物１に記載された発明では、そのような構成を有するかどうか不明である点。　
　
　上記相違点１について検討する。
　刊行物２には、「音楽（バックミュージック）を出力する音楽出力手段（拡声器１ｄ）」が記載されている。そして、１曲以上の音楽を記憶することは普通に行われている事項であり、音楽出力手段を「記憶された少なくとも１曲以上の音楽から１曲の音楽を出力する」ようにすることは当業者が適宜なし得る事項であるから、刊行物１に記載された発明に刊行物２に記載された技術を適用し、相違点１に係る本願発明を特定する事項とすることは、当業者が容易になし得ることである。　
　　
　上記相違点２について検討する。
　刊行物２には、「号令に合わせて踏み動作指示（脚などで押圧すべきマットスイッチ２１Ａ〜２１Ｌの位置を表示）を行う案内手段（発光ダイオード２２Ａ〜２２Ｌ）」が記載されている。ここで、前記「号令」は音楽（バックミュージック）とともに聞こえるものであるから（上記（２−カ）参照）、刊行物１に記載された発明に刊行物２に記載された技術を適用し、相違点２に係る本願発明を特定する事項とすることは、当業者が容易になし得ることである。　
　　
　上記相違点３について検討する。
　刊行物２には、「踏み台部（マットスイッチ２１Ａ〜２１Ｌ）は、床盤面体（訓練用マット２０）内の前方および後方に設け」たことが記載されているから、刊行物１に記載された発明に刊行物２に記載された技術を適用し、相違点３に係る本願発明を特定する事項とすることは、当業者が容易になし得ることである。　
　
　上記相違点４について検討する。　
　足で踏まれる床盤面体が所定の高さを有することは、例えば、特開昭５５−１０１２８０号公報に記載された「足踏みスイツチを有する基台１」（公報第２頁右上欄第１０行乃至第１８行、第１図参照）、実願昭６２−１３２９２０号（実開昭６４−３７２６９号）のマイクロフィルムに記載された「筐体１３を有する床面ディスプレイ１０」（明細書第６頁第３行乃至第７頁第１６行、第３図参照）、特開平８−１８２７７４号公報に記載された「踏み板２０と基板２１との間に圧感素子を配置した左、右側床反力計１Ｌ、１Ｒを備えた床反力計装置１」（段落番号【００２２】、【図１】参照）に示されているように、周知・慣用の技術である。
　また、刊行物３には、「床盤面体（角板状の台１）は、左右に一対の手摺り（手摺２）を備える」ことが記載されている。手摺りを床盤面体に対しどこに備えるかは、プレーヤの動きを考慮して、当業者が適宜なし得る設計上の事項である。
　したがって、これらの技術を組み合わせる際に、床盤面体に対する手摺りの位置を変更し、相違点４に係る本願発明を特定する事項とすることは、当業者が容易になし得ることである。　
　　
　そして、本願発明による効果も格別のものは認められない。　
　　　
　よって、本願発明は、刊行物１乃至３に記載された発明及び周知・慣用の技術に基いて当業者が容易に発明をすることができたものである。　
　
第４．むすび
　以上のとおり、本願発明は、当審で通知した拒絶の理由に示された上記刊行物１乃至３に記載された発明及び周知・慣用技術に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。